(57)【要約】【課題】プロテクタのハーネス挿通空間の出口からワイヤハーネスが左右に分岐して引き出される場合において、該プロテクタの蓋の浮き上がりや開きを防止する。【解決手段】プロテクタ本体１１のワイヤハーネス挿通空間１６にワイヤハーネス４０の第一幹線４１を挿通し、出口２０より左右に分岐して引き出される分岐線４２、４３を出口２０に沿って左右方向に配索される第二幹線４４にそれぞれ結束して、左右の分岐線４２、４３と第二幹線４４とで囲まれた三角形状空間５０を形成する。プロテクタ本体１１の開口を閉鎖してロック結合される蓋３１に、前記三角形状空間５０を覆う位置に突出する延長部３３を設け、該延長部３３に雄嵌合部３６を突設する一方、プロテクタ本体１１の底壁１２Ｂより雄嵌合部３６が嵌合係止される雌嵌合部２２を設け、前記三角形状空間５０で蓋３１がプロテクタ本体１１に結合される構成としている。【選択図】図４
2011109826.tif 000002
【特許請求の範囲】
【請求項１】
底壁と両側壁でワイヤハーネス挿通空間を囲む形状としたプロテクタ本体と、該プロテクタ本体に車両に配索されるワイヤハーネスの第一幹線を挿通後に前記底壁と対向する開口を閉鎖して本体に固定するロック部を備えた蓋とからなる樹脂成形品のプロテクタであって、
前記プロテクタ本体のワイヤハーネス挿通空間の出口より前記第一幹線が左右に分岐して引き出され、該左右方向の分岐線が前記出口に沿って左右方向に配索される前記ワイヤハーネスの第二幹線にそれぞれ結束され、前記左右方向の分岐線と前記第二幹線からなる３辺で囲まれた空間が形成され、
前記蓋に前記空間を覆う位置に突出する延長部を設け、該延長部に前記プロテクタ本体の底壁に向けて雄嵌合部を突設する一方、前記プロテクタ本体の底壁より前記雄嵌合部が嵌合係止される雌嵌合部が設けられ、前記左右の分岐線の間で前記蓋がプロテクタ本体に結合される構成としているワイヤハーネス用のプロテクタ。
【請求項２】
前記プロテクタ本体および蓋は成形品の金型で射出成型され、
前記蓋に設ける雄嵌合部は矢じり形状である一方、前記プロテクタ本体に設ける雌嵌合部は一対のＪ字突出部を対向させて設けた形状で、該一対のＪ字突出部に前記雄嵌合部の先端矢部分を挿入係止する構成とし、
前記雄嵌合部の型抜き方向は前記蓋の型抜き方向と同一方向とされ、前記雌嵌合部の型抜き方向は前記プロテクタ本体の型抜き方向と同一方向とされている請求項１に記載のワイヤハーネス用のプロテクタ。
【請求項３】
前記プロテクタ本体の長さ方向の一側の幅方向一側より電線引出部を連続的に設け、該電線引出部は、水平方向部から下向き湾曲部を連続的に設け、該下向き湾曲部の下端に前記出口を設け、
前記水平方向部の幅方向両側に前記プロテクタ本体と蓋とのロック結合部を設け、前記下向き湾曲部に被せる前記蓋の下端に前記三辺で囲まれた空間を覆う延長部を設けている請求項１または請求項２に記載のワイヤハーネス用のプロテクタ。
【発明の詳細な説明】
【技術分野】
【０００１】
本発明はワイヤハーネス用のプロテクタに関し、プロテクタ本体にワイヤハーネスを挿通した後に蓋をロック結合するプロテクタにおいて、プロテクタ本体からワイヤハーネスが分岐して引き出される出口位置での蓋とのロック構造を改良しているものである。
【背景技術】
【０００２】
車両に配索するワイヤハーネスは、他の車載機器との外部干渉から電線群を保護すると共に配線経路を規制する目的で、樹脂成形品からなるプロテクタを取り付ける場合が多い。
この種のプロテクタとしては、図９に示すプロテクタ１のように、筒体を本体部２と蓋部３とに分割し、本体部２と蓋部３にそれぞれロック部４と被ロック部５を設け、本体部２にワイヤハーネスを挿通して該本体部２の両端開口からワイヤハーネスを引き出した状態で該本体部２に蓋部３を閉鎖してロック結合するものが知られている。（特開平７−２４５８３９号公報参照）
【０００３】
前記プロテクタ１は、本体部２の両側壁２ａの上端より上面開口側に突出する電線係止板部６を突設し、該電線係止板部６によって本体部２内に挿通したハーネスを上から押さえ、電線の浮き上がりやはみ出しを防止して、蓋部３を閉鎖するときの噛みこみや蓋部３の浮き上がりを防止できる構造を備えている。
【０００４】
しかしながら、近年、車両のエンジンルームに設置される機器類が増加し、ハーネス配索スペースの縮小化が求められているため、プロテクタも薄型のものを用いる場合があり、そのような薄型のプロテクタには、前記プロテクタ１の電線係止板部６のような複雑な構造を設けることは困難である。
【０００５】
特に、図１０に示すように、ワイヤハーネス１０５の幹線１０６をプロテクタ１００に通し、該プロテクタ１００のハーネス挿通空間の出口１０３より幹線１０６から分岐する分岐部１０７を左右に分岐して引き出す場合、従来は分岐部１０７をテープ１０８で結束していた。そのため、図１１（Ａ）に示すように、分岐部１０７の根元部分の幹線１０６の断面形状が円状に近くなり、その厚み（高さ）Ｄ１が増し、プロテクタ１００のハーネス挿通空間の高さＨ１よりも幹線１０６の厚みＤ１が大となることがあった。その結果、図１１（Ｂ）に示すように、幹線１０６の前記テープ結束部分によってプロテクタ１００の蓋１０２が押し上げられ、該蓋１０２とプロテクタ本体１０１とのロック結合が外れて蓋１０２が開きやすくなり、該蓋１０２と周辺部品とが干渉するという問題があった。
【先行技術文献】
【特許文献】
【０００６】
【特許文献１】特開平７−２４５８３９号公報
【発明の概要】
【発明が解決しようとする課題】
【０００７】
本発明は前記問題に鑑みてなされたものであり、ワイヤハーネス用プロテクタをハーネスの分岐部根元まで取り付け、該プロテクタのハーネス挿通空間の出口よりハーネスを分岐して引き出す場合において、プロテクタの蓋の浮き上がりや開きを防止して、該蓋と周辺部品との干渉を防ぐことを課題としている。
【課題を解決するための手段】
【０００８】
前記課題を解決するために、本発明は、底壁と両側壁でワイヤハーネス挿通空間を囲む形状としたプロテクタ本体と、該プロテクタ本体に車両に配索されるワイヤハーネスの第一幹線を挿通後に前記底壁と対向する開口を閉鎖して本体に固定するロック部を備えた蓋とからなる樹脂成形品のプロテクタであって、
前記プロテクタ本体のワイヤハーネス挿通空間の出口より前記第一幹線が左右に分岐して引き出され、該左右方向の分岐線が前記出口に沿って左右方向に配索される前記ワイヤハーネスの第二幹線にそれぞれ結束され、前記左右方向の分岐線と前記第二幹線からなる３辺で囲まれた空間が形成され、
前記蓋に前記空間を覆う位置に突出する延長部を設け、該延長部に前記プロテクタ本体の底壁に向けて雄嵌合部を突設する一方、前記プロテクタ本体の底壁より前記雄嵌合部が嵌合係止される雌嵌合部が設けられ、前記左右の分岐線の間で前記蓋がプロテクタ本体に結合される構成としているワイヤハーネス用のプロテクタを提供している。
【０００９】
このように、プロテクタを挿通するワイヤハーネスの第一幹線と、該第一幹線から左右に分岐した分岐線とからなる三方向分岐部全体を結束するのではなく、各分岐線とプロテクタ本体の出口に沿って配索される前記第二幹線とを結束することにより、前記プロテクタ内に挿通される前記第一幹線を結束せずにすみ、該第一幹線の電線を幅方向にバラけさせることができる。よって、従来のように円状に結束された場合に比して幹線をフラット化して厚みを薄くでき、プロテクタのハーネス挿通空間の高さを低くすることができるため、プロテクタ本体に被せる前記蓋を幹線が押し上げることによる蓋の開きを防止できると共に、該蓋と周辺部品との干渉も防止することができる。
【００１０】
一方、三方向分岐部全体を結束しない場合は、第一幹線から各分岐線へ分岐させる屈曲形状の癖付けが難しく、電線束の剛性により前記蓋が押し上げられてしまうことも懸念される。しかしながら、前記プロテクタは、分岐部全体を結束しないことにより左右の分岐線の間に形成される前記三辺で囲まれた略三角形状空間を利用し、該三角形状空間で、蓋の前記延長部に形成した雄嵌合部とプロテクタ本体の底壁に形成した雌嵌合部とを嵌合係止できる構成としているため、蓋が最も浮き上がりやすい前記ハーネス挿通空間の出口付近で該蓋とプロテクタ本体とを確実に閉鎖させて結合でき、蓋の開きを有効に防止することができる。
【００１１】
また、前記雄嵌合部と雌嵌合部は、左右の分岐線の間に形成される前記三角形状空間で結合されるため、電線を噛みこむことなく嵌合係止でき、万が一噛みこんだ場合でも、前記出口の付近であるため容易に目視確認して噛みこみを解消することができる。
【００１２】
前記蓋の延長部は、該蓋の下端中央部より突設して前記三角形状空間を覆う部分にのみ設ける、あるいは、蓋の下端全体を三角形状空間を覆う位置まで下方に延出してもよい。
【００１３】
また、前記延長部は、その上側部を前記プロテクタ本体の底壁から離反方向に湾曲させると共に、その下側部をプロテクタ本体の底壁に近接方向に湾曲させた断面円弧状に形成してもよい。これにより、前記プロテクタ本体の出口に沿って配索する第二幹線が太く厚みがある場合や、該第二幹線が前記分岐線とのテープ結束により厚みが出る場合でも、該第二幹線を前記延長部で無理なく覆うことができ、この第二幹線の厚みによって蓋全体が押し上げられることを防止できる。
【００１４】
前記プロテクタ本体および蓋は成形品の金型で射出成型され、
前記蓋に設ける雄嵌合部は矢じり形状である一方、前記プロテクタ本体に設ける雌嵌合部は一対のＪ字突出部を対向させて設けた形状で、該一対のＪ字突出部に前記雄嵌合部の先端矢部分を挿入係止する構成とし、
前記雄嵌合部の型抜き方向は前記蓋の型抜き方向と同一方向とされ、前記雌嵌合部の型抜き方向は前記プロテクタ本体の型抜き方向と同一方向とされていることが好ましい。
このように型抜き方向を揃えることにより、金型にスライドを付加する必要がなく、コストを抑制できる。
【００１５】
前記プロテクタ本体は、長さ方向の一側の幅方向一側より電線引出部を連続的に設け、該電線引出部は、水平方向部から下向き湾曲部を連続的に設け、該下向き湾曲部の下端に前記出口を設け、
前記水平方向部の幅方向両側に前記プロテクタ本体と蓋とのロック結合部を設け、前記下向き湾曲部に被せる前記蓋の下端に前記三角形状の空間を覆う延長部を設けている。
【発明の効果】
【００１６】
上述したように、本発明によれば、プロテクタ内に挿通するワイヤハーネスの第一幹線と該第一幹線から左右に分岐して引き出される分岐線とを結束するのではなく、各分岐線とプロテクタ出口に沿って配索される第２幹線とをそれぞれ結束するため、プロテクタ内に挿通する第一幹線は、結束せずに電線を幅方向にバラけさせて高さを低くすることができる。よって、該幹線の高さをプロテクタのハーネス挿通空間の高さよりも低くすることができるため、該幹線が蓋を押し上げることに因る蓋の開きを防止でき、蓋と周辺部品との干渉も防ぐことができる。
【００１７】
また、前記第一幹線の左右の分岐線と前記第二幹線の三辺で囲む三角形状空間を形成し、かつ、プロテクタの蓋に雄嵌合部を形成した延長部を突設していると共に、プロテクタの本体の底壁に前記雄嵌合部と嵌合係止する雌嵌合部を設けているため、前記三角形状空間を利用して電線を噛みこむことなく前記雄嵌合部と雌嵌合部とを結合でき、最も蓋が浮き上がりやすいプロテクタのハーネス挿通空間の出口付近で、蓋とプロテクタ本体とを結合させて蓋の開きを確実に防止することができる。
【図面の簡単な説明】
【００１８】
【図１】本発明の第一実施形態に係るプロテクタの全体斜視図ある。
【図２】図１に示すプロテクタの（Ａ）は要部正面図、（Ｂ）は要部側面図である。
【図３】雄嵌合部と雌嵌合部を示し、（Ａ）は嵌合前の斜視図、（Ｂ）は嵌合状態を示す断面図である。
【図４】図１に示すプロテクタ内にワイヤハーネスを挿通した状態を示し、（Ａ）は要部正面図、（Ｂ）は（Ａ）のＢ−Ｂ線断面図である。
【図５】図１に示すプロテクタ内のワイヤハーネス配線状態を示す説明図である（蓋を除く）。
【図６】プロテクタ内にワイヤハーネスを挿通する方法の一例を示す斜視図である。
【図７】第１実施形態の変形例１を示す要部正面図である。
【図８】第１実施形態の変形例２を示す要部側面図である。
【図９】従来例を示す斜視図である。
【図１０】他の従来例のプロテクタにワイヤハーネスを挿通した状態を示す斜視図である。
【図１１】（Ａ）（Ｂ）は図１０に示すプロテクタの問題点を示す説明図である。
【発明を実施するための形態】
【００１９】
以下、本発明の実施形態を図面を参照して説明する。
図１乃至図６に本発明の第１実施形態に係るプロテクタ１０を示す。
プロテクタ１０は、自動車に配索されるワイヤハーネス４０の第一幹線４１を挿通するものであり、樹脂で一体成形されたプロテクタ本体１１と、該プロテクタ本体１１とは別体として樹脂で一体成形された蓋３１とで構成される。前記プロテクタ本体１１と蓋３１は、それぞれ成形用の金型で射出成型している。
【００２０】
前記ワイヤハーネス４０の第一幹線４１は、図４（Ａ）および図５に示すように、前記プロテクタ１０の後述する出口２０から左右に分岐して引き出され、かつ、この左右の分岐線４２、４３は、前記出口２０に沿って配索されるワイヤハーネス４０の第二幹線４４にテープ巻き結束される。
【００２１】
前記プロテクタ本体１１は、図１および図５に示すように、ワイヤハーネス４０の第一幹線４１を直線状に挿通収容する長尺な電線収容部１１Ａと、該電線収容部１１Ａの長さ方向の一側の幅方向一側より連続的に設けた電線引出部１１Ｂとからなり、それぞれ底壁１２Ａ、１２Ｂと、該底壁１２Ａ、１２Ｂの幅方向両端から立設した側壁１３Ａ、１３Ｂとを備えた上面開口の樋形状よりなる。前記電線収容部１１Ａの内部空間と電線引出部１１Ｂの内部空間は、互い連通してワイヤハーネス挿通空間１６を形成している。
【００２２】
電線収容部１１Ａは、長さ方向の一端は開口１４しているが、電線引出部１１Ｂを設けた側の他端は側壁１５を立設して閉鎖している。該電線収容部１１Ａの幅方向両側壁１３Ａの外面には、長さ方向に所要間隔をあけて複数のロック爪１７を突設している。
【００２３】
電線引出部１１Ｂは、図１および図２（Ａ）（Ｂ）に示すように、電線収容部１１Ａから連続的に突設される水平方向部１８と、該水平方向部１８の突出端から連続的に設けられる下向き湾曲部１９とからなり、該下向き湾曲部１９の下端は開口させてワイヤハーネス挿通空間１６の出口２０としている。水平方向部１８の両側壁１３Ｂの外面には、一対のロック爪２１を形成している。
【００２４】
下向き湾曲部１９の両側壁１３Ｂの下端からは、左右一対のテープ巻き片２４を水平方向に突設している。また、下向き湾曲部１９の底壁１２Ｂは、両側壁１３Ｂの下端位置１３ｂよりも下方に延在している。
【００２５】
前記蓋３１は、図１および図２（Ａ）（Ｂ）に示すように、プロテクタ本体１１の電線収容部１１Ａの上面開口を覆う電線収容部用蓋部３２Ａと、電線引出部１１Ｂの水平方向部１８から下向き湾曲部１９にかけて上面開口を覆う電線引出部用蓋部３２Ｂとからなる蓋本体部３２と、電線引出部用蓋部３２Ｂの下端中央部より下方に突設した延長部３３とからなる。電線引出部用蓋部３２Ｂの下端位置３２ａは、プロテクタ本体１１の下向き湾曲部１９の両側壁１３Ｂの下端位置１３ｂと同一高さとし、延長部３３は下向き湾曲部１９の両側壁１３Ｂの下端位置１３ｂよりも下方位置で下向き湾曲部１９の底壁１２Ｂと対向している。
【００２６】
蓋本体部３２のうち、電線収容部用蓋部３２Ａの幅方向両側縁より、プロテクタ本体１１のロック爪１７に係止される被ロック枠部３４を下方に突設している。かつ、電線引出部１１Ｂの水平方向部１８を覆う部分の電線引出部用蓋部３２Ｂの幅方向両側縁より、ロック爪２１に係止される被ロック枠部３５を下方に突設している。
【００２７】
延長部３３には図３（Ａ）に示すように、プロテクタ本体１１の下向き湾曲部１９の底壁１２Ｂに向けて雄嵌合部３６を突設し、プロテクタ本体１１の底壁１２Ｂには、前記雄嵌合部３６と嵌合係止される雌嵌合部２２を突設している。
【００２８】
雄嵌合部３６は、その型抜き方向を蓋３１の型抜き方向と同一方向、即ち、延長部３３の延長方向（上下方向）としており、形状は、断面矢じり形状をこの型抜き方向に連続させた形状としている。
雌嵌合部２２は、その型抜き方向をプロテクタ本体１１の型抜き方向と同一方向、即ち、下向き湾曲部１９の湾曲方向（上下方向）とし、形状は断面Ｊ字形状を、この型抜き方向に連続させた一対のＪ字突出部２３を対向させて設けてなる。
雄嵌合部３６と雌嵌合部２２とは、図３（Ａ）に示すように、雄嵌合部３６の先端矢部分３７が前記一対のＪ字突出部２３を押し開くように挿入され、図３（Ｂ）に示すように、先端矢部分３７の挿入後に弾性復元した一対のＪ字突出部２３によって先端矢部分３７が両側から係止されることによって嵌合する構成としている。
【００２９】
前記構成のプロテクタ１０にワイヤハーネス４０の第一幹線４１を配線するときは、図５に示すように、第一幹線４１と左右の分岐線４２、４３との三方向分岐点をテープ巻き結束せず、電線束をばらけさせたまま前記出口２０から左右に分岐して引き出す。この引き出した左右の分岐線４２、４３を第二幹線４４にそれぞれテープ４５で結束する。このとき蓋３１の延長部３３に覆われる部分に、左右方向の分岐線４２、４３と第二幹線４４との三辺で囲まれた三角形状空間５０を形成している。
【００３０】
なお、本実施形態では、ワイヤハーネス４０の布線工程において、図６に示すように、組立台上に立設したフォーク治具５１にプロテクタ本体１１を貫通させて固定し、該フォーク治具５１にて第一幹線４１をプロテクタ本体１１の幅方向にばらけさせてフラット化している。
【００３１】
このように前記構成のプロテクタ１０にワイヤハーネス４０の第一幹線４１を挿通し、前記出口２０から引き出される左右の分岐線４２、４３と前記第二幹線４４とをそれぞれテープ４５で結束して分岐部を位置決めしている。図４（Ａ）（Ｂ）に示すように、該分岐部の中心はテープ結束せずに電線をばらけさせることができ、ワイヤハーネス挿通空間１６の出口２０の付近で第一幹線４１をフラット化して厚みを薄くすることができる。よって、この出口２０の付近において、プロテクタ１０の蓋３１が第一幹線４１の厚みによって押し上げられることを防ぐことができる。
【００３２】
また、左右の分岐線４２、４３と第二幹線４４とで囲まれた部分に前記三角形状空間５０を形成し、該三角形状空間５０を覆う位置にプロテクタ１０の蓋３１の延長部３３を形成している。これにより、図５に示すように、該延長部３３から突出した雄嵌合部３６とプロテクタ本体１１の底壁１２Ｂから突出した雌嵌合部２２とを、三角形状空間５０において嵌合係止させるができる。よって、たとえ、分岐線４２、４３の左右方向への屈曲形状の癖付けが悪く、その電線束の剛性によって蓋３１に対する押し上げ力が作用したとしても、出口２０の近傍で蓋３１とプロテクタ本体１１とを閉鎖状態で確実に結合させることができるため、蓋３１の押し上げを防止することができる。
【００３３】
以上により、プロテクタ１０の蓋３１の浮き上がりや開きを有効に防止できるとともに、開いた蓋３１と周辺機器との干渉も防ぐことができる。
【００３４】
さらに、前記三角形状空間５０を利用して蓋３１の雄嵌合部３６とプロテクタ本体１１の雌嵌合部２２とをロック結合させる構成であるため、このロック結合に際して電線の噛み込みを防止できるうえ、万が一噛み込んだ場合でも、出口２０の付近であることから目視による確認も容易に行うことができる。さらにまた、プロテクタ本体１１の下向き湾曲部１９の側壁１３Ｂが長さ方向に短い場合など、前記出口２０近傍の側壁側にロック構造を設けるスペースがない場合でも、前記三角形状空間５０を有効利用したロック構造であれば設けることができるため、配索設計の自由度も高めることができる。
【００３５】
また、前記雄嵌合部３６と雌嵌合部２２は、その型抜き方向をそれぞれ蓋３１とプロテクタ本体１１の型抜き方向に従わせているため、成形用金型にスライドを付加する必要がなく、コストを抑えることができる。
【００３６】
前記蓋３１の延長部３３は、図７に示す前記第１実施形態の変形例１のように、蓋３１の電線引出部用蓋部３２Ｂを幅方向全長にわたって前記三角形状空間５０を覆う位置まで下方に延在して形成してもよい。
【００３７】
あるいは、延長部３３は、図８に示す第１実施形態の変形例２のように、電線引出部用蓋部３２Ｂの幅方向全長にわたって前記三角形状空間５０を超えて前記第二幹線４４を覆う位置まで延在して形成してもよい。この場合、延長部３３は、電線引出部用蓋部３２Ｂの下端３２ｂから外側に膨らんだのち底壁１２Ｂに近接するように断面円弧状に湾曲させて突設することが好ましい。これにより、テープ４５による結束によって厚みが出やすい分岐線４２、４３と第２幹線４４とを延長部３３で無理なく覆うことができるため、延長部３３が押し上げられて前記雄嵌合部３６と雌嵌合部２２との嵌合結合に不具合が生じることを防止できると共に、第２幹線４４を延長部３３の下端部３３ａで保持できることにより、該第２幹線４４の下垂による分岐点の位置ずれも防止することができる。
【符号の説明】
【００３８】
１０  プロテクタ
１１  プロテクタ本体
１１Ａ  電線収容部
１１Ｂ  電線引出部
１８  水平方向部
１９  下向き湾曲部
２０  出口
２２  雌嵌合部
３１  蓋
３２  蓋本体部
３２Ａ  電線収容部用蓋部
３２Ｂ  電線引出部用蓋部
３３  延長部
３６  雄嵌合部
４０  ワイヤハーネス
４１  第一幹線
４２、４３  分岐線
４４  第二幹線
【図１】
2011109826.tif 000003
【図２】
2011109826.tif 000004
【図３】
2011109826.tif 000005
【図４】
2011109826.tif 000006
【図５】
2011109826.tif 000007
【図６】
2011109826.tif 000008
【図７】
2011109826.tif 000009
【図８】
2011109826.tif 000010
【図９】
2011109826.tif 000011
【図１０】
2011109826.tif 000012
【図１１】
2011109826.tif 000013